(57)【要約】  本発明に係る空気調和システムは、内部が平面視において四角形状の複数の空気調和エリアに区画される部屋を空気調和する空気調和システムであって、前記空気調和エリアの１つの天井裏に設置され、該空気調和エリアを空気調和する空気調和運転を行う利用側ユニットを備え、前記利用側ユニットが設置される前記空気調和エリアを設置エリアとした場合、前記利用側ユニットは、下面部に形成された吸込口から吸い込んだ前記設置エリアの空気を冷却又は加熱する本体部と、前記本体部とダクトで接続され、前記本体部から供給された空気を下面部に形成された吹出口から吹き出す吹出ユニットと、を備え、前記吹出ユニットは、前記吹出口から吹き出される空気の上下方向の向きを調節する上下風向ベーンを備え、前記上下風向ベーンは、鉛直線に対して傾きを有し、前記設置エリアの中心に向かって空気を案内する。
2019171461.tif 000002
【特許請求の範囲】
【請求項１】
内部が平面視において四角形状の複数の空気調和エリアに区画される部屋を空気調和する空気調和システムであって、
前記空気調和エリアの１つの天井裏に設置され、該空気調和エリアを空気調和する空気調和運転を行う利用側ユニットを備え、
前記利用側ユニットが設置される前記空気調和エリアを設置エリアとした場合、
前記利用側ユニットは、
前記設置エリアの前記天井裏に設置され、下面部に形成された吸込口から吸い込んだ前記設置エリアの空気を冷却又は加熱する本体部と、
前記本体部とダクトで接続されて前記設置エリアの前記天井裏に設置され、前記本体部から供給された空気を下面部に形成された吹出口から吹き出す吹出ユニットと、
を備え、
前記吹出ユニットは、前記吹出口から吹き出される空気の上下方向の向きを調節する上下風向ベーンを備え、
前記上下風向ベーンは、鉛直線に対して傾きを有し、前記設置エリアの中心に向かって空気を案内する空気調和システム。
【請求項２】
平面視において、前記吹出ユニットは、前記吸込口の中心と前記吹出口の中心との間の距離が３．６ｍ以内となる位置に設置される請求項１に記載の空気調和システム。
【請求項３】
前記上下風向ベーンは、前記利用側ユニットの運転中に電力によって傾きを変更できる可動式であり、
前記利用側ユニットは、前記上下風向ベーンに電力を供給する給電線を備え、
前記給電線の少なくとも一部分は、前記ダクトに接触させて配置される請求項１又は請求項２に記載の空気調和システム。
【請求項４】
前記上下風向ベーンは、前記利用側ユニットの運転中に電力によって傾きを変更できる可動式であり、
前記利用側ユニットは、前記空気調和運転として冷房運転及び暖房運転を行える構成となっており、
前記冷房運転時の前記上下風向ベーンの前記鉛直線に対する傾きは、前記暖房運転時の前記上下風向ベーンの前記鉛直線に対する傾きよりも大きい請求項１〜請求項３のいずれか一項に記載の空気調和システム。
【請求項５】
前記利用側ユニットは、前記空気調和運転として冷房運転を行える構成となっており、
側面視において、
前記冷房運転時に前記吹出口から吹き出される空気は、前記設置エリアの床面に到達する前に前記設置エリアの中心を通る鉛直線に到達する請求項１〜請求項４のいずれか一項に記載の空気調和システム。
【請求項６】
前記利用側ユニットは、前記空気調和運転として暖房運転を行える構成となっており、
側面視において、
前記暖房運転時に前記吹出口から吹き出される空気は、前記設置エリアの中心を通る鉛直線に到達する前に前記設置エリアの床面に到達する請求項１〜請求項５のいずれか一項に記載の空気調和システム。
【請求項７】
前記設置エリアに人が存在するか否かを検出する人感センサを備え、
前記利用側ユニットは、前記吸込口から吸い込んだ前記設置エリアの空気を前記吹出ユニットに送る送風機を備え、
前記設置エリアに人が存在しない場合、前記利用側ユニットは、送風運転を行い、
前記利用側ユニットが前記送風運転を行うときの前記送風機の回転数は、前記利用側ユニットが前記空気調和運転を行うときの前記送風機の回転数よりも低くなる請求項１〜請求項６のいずれか一項に記載の空気調和システム。
【請求項８】
前記利用側ユニットは、前記吹出ユニットを２つ備え、
２つの前記吹出ユニットのそれぞれは、前記吹出口から吹き出される空気の横方向の向きを調節する左右風向ベーンを備え、
２つの前記吹出ユニットのうちの一方を第１吹出ユニットとし、２つの前記吹出ユニットのうちの他方を第２吹出ユニットとした場合、
前記第１吹出ユニット及び前記第２吹出ユニットは、平面視において、前記設置エリアの中心を挟んで向かい合って配置されており、
平面視において、
前記第１吹出ユニットの前記吹出口の中心と前記設置エリアの中心とを結ぶ仮想直線を第１仮想直線、
前記第２吹出ユニットの前記吹出口の中心と前記設置エリアの中心とを結ぶ仮想直線を第２仮想直線、
前記第１仮想直線と垂直な方向のうちの一方を第１方向、
前記第１仮想直線と垂直な方向のうちの他方を第２方向と定義した場合、
前記第１吹出ユニットの前記左右風向ベーンは、前記第１仮想直線に対して前記第１方向に傾くように前記吹出口から空気が吹き出される傾きとなり、
前記第２吹出ユニットの前記左右風向ベーンは、前記第２仮想直線に対して前記第２方向に傾くように前記吹出口から空気が吹き出される傾きとなる請求項１〜請求項７のいずれか一項に記載の空気調和システム。
【請求項９】
前記利用側ユニットは、前記吹出ユニットを複数備え、
平面視において、前記設置エリアの少なくとも一辺は、前記部屋の側壁と対向しており、
複数の前記吹出ユニットは、平面視において、前記部屋の壁と対向していない辺のみに沿って設けられる請求項１〜請求項８のいずれか一項に記載の空気調和システム。
【請求項１０】
前記利用側ユニットは、前記吹出ユニットを２つ備え、
２つの前記吹出ユニットのそれぞれは、前記吹出口から吹き出される空気の横方向の向きを調節する左右風向ベーンを備え、
２つの前記吹出ユニットのうちの一方を第３吹出ユニットとし、２つの前記吹出ユニットのうちの他方を第４吹出ユニットとした場合、
前記第３吹出ユニット及び前記第４吹出ユニットは、平面視において、前記設置エリアの中心を挟んで向かい合って配置されており、
平面視において、
前記第３吹出ユニットの前記吹出口の中心と前記設置エリアの中心とを結ぶ仮想直線を第３仮想直線、
前記第４吹出ユニットの前記吹出口の中心と前記設置エリアの中心とを結ぶ仮想直線を第４仮想直線、
前記第３仮想直線と垂直な方向のうちの一方を第３方向、
前記第３仮想直線と垂直な方向のうちの他方を第４方向と定義した場合、
平面視において、前記設置エリアの前記第４方向に、前記設置エリアと隣接する前記空気調和エリアが存在し、
前記第３吹出ユニットの前記左右風向ベーンは、前記第３仮想直線に対して前記第３方向に傾くように前記吹出口から空気が吹き出される傾きとなり、
前記第４吹出ユニットの前記左右風向ベーンは、前記第４仮想直線に対して前記第３方向に傾くように前記吹出口から空気が吹き出される傾きとなる請求項１〜請求項９のいずれか一項に記載の空気調和システム。
【請求項１１】
前記利用側ユニットを２つ備え、
２つの前記利用側ユニットのうちの一方を第１利用側ユニットとし、
２つの前記利用側ユニットのうちの他方を第２利用側ユニットとし、
前記第１利用側ユニットが設置される前記空気調和エリアを第１設置エリアとし、
前記第２利用側ユニットが設置される前記空気調和エリアを第２設置エリアとした場合、
前記第１設置エリアと前記第２設置エリアとが隣接している請求項１〜請求項１０のいずれか一項に記載の空気調和システム。
【請求項１２】
前記第１利用側ユニットの設定温度と前記第２利用側ユニットの設定温度とは、２℃以上異なる請求項１１に記載の空気調和システム。
【請求項１３】
前記第１設置エリアと連通する第１給気口が形成された第１換気装置と、
前記第２設置エリアと連通する第２給気口が形成された第２換気装置と、
を備え、
前記第１利用側ユニット及び前記第２利用側ユニットのそれぞれは、人が存在するか否かを検出する人感センサを備え、
前記第１設置エリアに人が存在し、前記第２設置エリアに人が存在しない場合、前記第２給気口から前記第２設置エリアに供給される外気の流量は、前記第１給気口から前記第１設置エリアに供給される外気の流量よりも多い請求項１１又は請求項１２に記載の空気調和システム。
【請求項１４】
前記第１給気口は、平面視において前記第１設置エリアの中心よりも前記第２設置エリアから離れた位置で、前記第１設置エリアと連通し、
前記第２給気口は、平面視において前記第２設置エリアの中心よりも前記第１設置エリアから離れた位置で、前記第２設置エリアと連通する請求項１３に記載の空気調和システム。
【発明の詳細な説明】
【技術分野】
【０００１】
本発明は、複数の利用側ユニットを用いて内部が空気調和される部屋に用いられる空気調和システムに関する。
【背景技術】
【０００２】
執務室等の広い部屋の内部の空気調和には、複数の利用側ユニットを備えた空気調和システムが用いられる。すなわち、複数の利用側ユニットを部屋に設置し、複数の利用側ユニットのそれぞれが空気調和運転を行うことで、部屋内の温度を快適な温度に調整する。なお、空気調和運転とは、冷房運転又は暖房運転である。このような従来の空気調和システムにおいては、例えば、複数の利用側ユニットのそれぞれは、温度センサによって自身の空気調和エリアの温度を検出し、温度センサの検出値が設定温度となるように空気調和運転を行う。これにより、従来の空気調和システムには、部屋内の温度の均一化を図っている。【０００３】
また、従来の空気調和システムには、部屋内の一部のエリアを選択的に空気調和し、省エネルギー化を図った空気調和システムも提案されている（特許文献１参照）。詳しくは、特許文献１に記載の空気調和システムが用いられる部屋の内部は、平面視四角形状の複数の空気調和エリアに区画されている。そして、特許文献１に記載の空気調和システムは複数の利用側ユニットを有し、部屋の空気調和エリアのそれぞれの天井裏に利用側ユニットが設けられる。また、特許文献１に記載の空気調和システムにおける利用側ユニットのそれぞれは、人が存在するか否かを検出する人感センサを備えている。そして、特許文献１に記載の空気調和システムにおいては、人が存在する空気.調和エリアに設けられた利用側ユニットが空気調和運転を行う。この際、人が存在する空気調和エリアに隣接する人が存在しない空気調和エリアに設けられた利用側ユニットは、送風運転を行い、人が存在する空気調和エリア側の吹出口から下方へ空気を吹き出す。すなわち、特許文献１に記載の空気調和システムは、人が存在しない空気調和エリアに設けられた利用側ユニットから吹き出される空気がエアカーテンとなり、人が存在する空気調和エリアに設けられた利用側ユニットから吹き出される温度調節された空気が人の存在しない空気調和エリアに流れ出すことを抑制している。特許文献１によると、このように空気調和システムを運転することにより、人が存在する空気調和エリアを選択的に空気調和でき、省エネルギー化が図れるとされている。
【先行技術文献】
【特許文献】
【０００４】
【特許文献１】特開２０１７−０８３０８４号公報
【発明の概要】
【発明が解決しようとする課題】
【０００５】
人が存在する空気調和エリアと人が存在しない空気調和エリアとの境界を見た場合、人が存在しない空気調和エリアに設けられた利用側ユニットから吹き出される空気の流れる範囲は、吹出口の下方のみである。すなわち、人が存在する空気調和エリアと人が存在しない空気調和エリアとの境界では、人が存在しない空気調和エリアに設けられた利用側ユニットの吹出口の下方にエアカーテンが形成されるものの、大部分の範囲においてエアカーテンが形成されない。このため、特許文献１に記載の空気調和システムにおいては、人が存在する空気調和エリアに設けられた利用側ユニットから吹き出された温度調節された空気は、エアカーテンが形成されていない箇所から人の存在しない空気調和エリアに漏れ出してしまう。したがって、特許文献１に記載の空気調和システムは、部屋内の一部のエリアを選択的に空気調和することができず、省エネルギー化を十分に図ることができないという課題があった。【０００６】
本発明は、上記のような課題を解決するためになされたものであり、部屋内の一部のエリアを従来よりも選択的に空気調和することができ、従来よりも省エネルギー化を図ることができる空気調和システムを得ることを目的とする。
【課題を解決するための手段】
【０００７】
本発明に係る空気調和システムは、内部が平面視において四角形状の複数の空気調和エリアに区画される部屋を空気調和する空気調和システムであって、前記空気調和エリアの１つの天井裏に設置され、該空気調和エリアを空気調和する空気調和運転を行う利用側ユニットを備え、前記利用側ユニットが設置される前記空気調和エリアを設置エリアとした場合、前記利用側ユニットは、前記設置エリアの前記天井裏に設置され、下面部に形成された吸込口から吸い込んだ前記設置エリアの空気を冷却又は加熱する本体部と、前記本体部とダクトで接続されて前記設置エリアの前記天井裏に設置され、前記本体部から供給された空気を下面部に形成された吹出口から吹き出す吹出ユニットと、を備え、前記吹出ユニットは、前記吹出口から吹き出される空気の上下方向の向きを調節する上下風向ベーンを備え、前記上下風向ベーンは、鉛直線に対して傾きを有し、前記設置エリアの中心に向かって空気を案内する。
【発明の効果】
【０００８】
本発明に係る空気調和システムにおいては、吹出ユニットの吹出口から吹き出される温度調節された空気は、利用側ユニットの設置エリアの中心方向に流れた後、該設置エリアから流れ出ることとなる。このため、吹出ユニットの吹出口から吹き出される温度調節された空気は、設置エリア内の空気と十分に熱交換した後に、該設置エリアから流れ出る。すなわち、本発明に係る空気調和システムにおいては、利用側ユニットの設置エリアの外部へ冷熱又は温熱が流出することを従来よりも抑制できる。したがって、本発明に係る空気調和システムは、部屋内の一部のエリアを従来よりも選択的に空気調和することができ、従来よりも省エネルギー化を図ることができる。
【図面の簡単な説明】
【０００９】
【図１】本発明の実施の形態１に係る空気調和システムの配置構成を説明するための図である。
【図２】本発明の実施の形態１に係る空気調和システムの利用側ユニットの概略構成を示す図である。
【図３】本発明の実施の形態１に係る空気調和システムの制御装置を説明するためのブロック図である。
【図４】従来の空気調和システムの運転動作を説明するための側面図である。
【図５】本発明の実施の形態１に係る空気調和システムの運転動作を説明するための側面図であり、利用側ユニットが冷房運転しているときの動作を示す図である。
【図６】本発明の実施の形態１に係る空気調和システムの運転動作を説明するための側面図であり、利用側ユニットが暖房運転しているときの動作を示す図である。
【図７】本発明の実施の形態１に係る空気調和システムの制御方法の一例を示すフローチャートである。
【図８】本発明の実施の形態１に係る空気調和システムの運転動作の一例を説明するための図である。
【図９】本発明の実施の形態２に係る空気調和システムの配置構成を説明するための図である。
【図１０】本発明の実施の形態３に係る空気調和システムの配置構成を説明するための図である。
【発明を実施するための形態】
【００１０】
以下、本発明に係る空気調和システムの一例について、図面等を参照しながら説明する。なお、以下の実施の形態で記載されている各構成の形態は、あくまでも例示である。本発明に係る空気調和システムは、以下の実施の形態で記載されている各構成に限定されるものではない。また、構成同士の組み合わせは、同一の実施の形態における組み合わせのみに限定するものではなく、異なる実施の形態に記載した構成同士を組み合わせてもよい。
【００１１】
実施の形態１．
［空気調和システム１の設置構成］
図１は、本発明の実施の形態１に係る空気調和システムの配置構成を説明するための図である。この、図１は、空調対象空間である部屋１００を上方から観察し、空気調和システム１の利用側ユニット２の本体部１０及び吹出ユニット２０の配置位置を示した図である。なお、図１では、本体部１０の吸込口１１及び吹出ユニット２０の吹出口２１の位置を示している。
【００１２】
本実施の形態１に係る空気調和システム１は、執務室等のような複数の利用側ユニットを用いて内部が空気調和される部屋１００に用いられる。本実施の形態１では、部屋１００の内部は、平面視において四角形状の２つの空気調和エリア１０１に区画されている。詳しくは、部屋１００の内部は、平面視において四角形状の空気調和エリア１０１Ａ及び空気調和エリア１０１Ｂに区画されている。空気調和エリア１０１Ａ及び空気調和エリア１０１Ｂは、隣接している。
【００１３】
また、空気調和エリア１０１Ａ及び空気調和エリア１０１Ｂのそれぞれの天井裏に、空気調和システム１の利用側ユニット２が設置されている。そして、空気調和エリア１０１Ａの天井裏に設置された利用側ユニット２は、空気調和運転した際、空気調和エリア１０１Ａを空気調和する。また、空気調和エリア１０１Ｂの天井裏に設置された利用側ユニット２は、空気調和運転した際、空気調和エリア１０１Ｂを空気調和する。空気調和運転とは、冷房運転又は暖房運転である。なお、本実施の形態１に係る利用側ユニット２は、冷房運転及び暖房運転の双方を行えるようになっている。すなわち、本実施の形態１では、空気調和エリア１０１Ａ及び空気調和エリア１０１Ｂの双方が、本実施の形態１に係る空気調和システム１の利用側ユニット２が設置される設置エリアとなっている。
【００１４】
ここで、空気調和エリア１０１Ａに設置された利用側ユニット２及び空気調和エリア１０１Ｂに設置された利用側ユニット２のうちの一方が、第１利用側ユニットとなる。また、空気調和エリア１０１Ａに設置された利用側ユニット２及び空気調和エリア１０１Ｂに設置された利用側ユニット２のうちの他方が、第２利用側ユニットとなる。空気調和エリア１０１Ａ及び空気調和エリア１０１Ｂのうち、第１利用側ユニットが設置されている方が第１設置エリアとなる。空気調和エリア１０１Ａ及び空気調和エリア１０１Ｂのうち、第２利用側ユニットが設置されている方が第２設置エリアとなる。
【００１５】
なお、以下では、各空気調和エリア１０１の天井裏に設置された利用側ユニット２を区別して示す場合、利用側ユニット２の各構成の符号の後に、設置されている空気調和エリア１０１の末尾の大文字アルファベットを付すこととする。例えば、空気調和エリア１０１Ａの天井裏に設置された利用側ユニット２の各構成には、各構成の符号の後に、アルファベットの大文字「Ａ」を付すこととする。また例えば、空気調和エリア１０１Ｂの天井裏に設置された利用側ユニット２の各構成には、各構成の符号の後に、アルファベットの大文字「Ｂ」を付すこととする。また、同一の空気調和エリア１０１に、同じ構成が複数設置される場合がある。このような場合、同じ構成のそれぞれを区別する場合、符号の末尾に小文字アルファベットを付して区別することとする。例えば、後述のように、空気調和エリア１０１Ａに設置された利用側ユニット２Ａは、４つの吹出ユニット２０Ａを備えている。これらの吹出ユニット２０Ａを区別して示す場合、吹出ユニット２０Ａａ、吹出ユニット２０Ａｂ、吹出ユニット２０Ａｃ、及び吹出ユニット２０Ａｄと示すこととする。
【００１６】
利用側ユニット２のそれぞれは、１つの本体部１０と、４つの吹出ユニット２０とを備えている。本体部１０は、空気調和エリア１０１の天井裏に設置されている。また、本体部１０は、下面部に、空気調和エリア１０１と連通する吸込口１１が形成されている。本体部１０は、吸込口１１から吸い込んだ空気調和エリア１０１の空気を冷却又は加熱する構成である。本体部１０は、例えば、平面視において吸込口１１の中心１２が空気調和エリア１０１の中心１０２と一致するように設置されている。なお、本体部１０は、平面視において吸込口１１の中心１２が空気調和エリア１０１の中心１０２と一致しないように設置されてもよい。
【００１７】
吹出ユニット２０は、空気調和エリア１０１の天井裏に設置されている。また、吹出ユニット２０は、下面部に、空気調和エリア１０１と連通する吹出口２１が形成されている。また、吹出ユニット２０は、本体部１０とダクト３０で接続されている。すなわち、吹出ユニット２０は、本体部１０から供給された温度調節された空気を、吹出口２１から空気調和エリア１０１へ吹き出す構成である。吹出ユニット２０のそれぞれは、平面視において、吹出口２１が空気調和エリア１０１の各辺近傍となる位置に設置されている。また、吹出ユニット２０のそれぞれは、平面視において、吹出口２１の長手方向が空気調和エリア１０１の各辺に沿うように設置されている。
【００１８】
詳しくは、利用側ユニット２Ａの本体部１０Ａは、平面視において吸込口１１Ａの中心１２Ａが空気調和エリア１０１Ａの中心１０２Ａと一致するように設置されている。利用側ユニット２Ａの吹出ユニット２０Ａａは、空気調和エリア１０１Ａを平面視した図１において、吹出口２１Ａａが空気調和エリア１０１Ａの紙面左側となる辺近傍となる位置に設置されている。利用側ユニット２Ａの吹出ユニット２０Ａｂは、空気調和エリア１０１Ａを平面視した図１において、吹出口２１Ａｂが空気調和エリア１０１Ａの紙面右側となる辺近傍となる位置に設置されている。利用側ユニット２Ａの吹出ユニット２０Ａｃは、空気調和エリア１０１Ａを平面視した図１において、吹出口２１Ａｃが空気調和エリア１０１Ａの紙面上側となる辺近傍となる位置に設置されている。利用側ユニット２Ａの吹出ユニット２０Ａｄは、空気調和エリア１０１Ａを平面視した図１において、吹出口２１Ａｄが空気調和エリア１０１Ａの紙面下側となる辺近傍となる位置に設置されている。
【００１９】
また、利用側ユニット２Ｂの本体部１０Ｂは、平面視において吸込口１１Ｂの中心１２Ｂが空気調和エリア１０１Ｂの中心１０２Ｂと一致するように設置されている。利用側ユニット２Ｂの吹出ユニット２０Ｂａは、空気調和エリア１０１Ｂを平面視した図１において、吹出口２１Ｂａが空気調和エリア１０１Ｂの紙面左側となる辺近傍となる位置に設置されている。利用側ユニット２Ｂの吹出ユニット２０Ｂｂは、空気調和エリア１０１Ｂを平面視した図１において、吹出口２１Ｂｂが空気調和エリア１０１Ｂの紙面右側となる辺近傍となる位置に設置されている。利用側ユニット２Ｂの吹出ユニット２０Ｂｃは、空気調和エリア１０１Ｂを平面視した図１において、吹出口２１Ｂｃが空気調和エリア１０１Ｂの紙面上側となる辺近傍となる位置に設置されている。利用側ユニット２Ｂの吹出ユニット２０Ｂｄは、空気調和エリア１０１Ｂを平面視した図１において、吹出口２１Ｂｄが空気調和エリア１０１Ｂの紙面下側となる辺近傍となる位置に設置されている。
【００２０】
なお、平面視において、空気調和エリアの１辺は、一般的に７．２ｍ程度である。また、吹出口２１は、平面視において空調対象となる空気調和エリア１０１の内側に設置した方が空調対象となる空気調和エリア１０１を選択的に空調することができる。このため、各吹出ユニット２０は、平面視において、空気調和エリア１０１の中心１０２と吹出口２１の中心２２との距離が空気調和エリア１０１の一辺の長さの半分である３．６ｍ以内となるように設置されるとよい。ここで、本体部１０は、平面視において、吸込口１１の中心１２が空気調和エリア１０１の中心１０２と一致するように設置されることが多い。このため、各吹出ユニット２０は、平面視において、吸込口１１の中心１２と吹出口２１の中心２２との距離が空気調和エリア１０１の一辺の長さの半分である３．６ｍ以内となるように設置されるとよい。
【００２１】
［利用側ユニット２の機器構成］
図２は、本発明の実施の形態１に係る空気調和システムの利用側ユニットの概略構成を示す図である。この図２は、利用側ユニット２Ａの本体部１０、吹出ユニット２０Ａａ及び吹出ユニット２０Ａｂを通る部屋１００の縦断面図となっている。利用側ユニット２Ａと利用側ユニット２Ｂとは同じ構成であるため、以下では、利用側ユニット２Ａを用いて利用側ユニット２を説明する。また、吹出ユニット２０Ａｃ及び吹出ユニット２０Ａｄは吹出ユニット２０Ａａ及び吹出ユニット２０Ａｂと同じ構成であるため、吹出ユニット２０Ａｃ及び吹出ユニット２０Ａｄの図示は省略する。
【００２２】
利用側ユニット２Ａは、上述のように、空気調和エリア１０１Ａの天井裏１０４Ａに設置された本体部１０Ａを備えている。この本体部１０Ａの内部には、送風機１４Ａ及び熱交換器１３Ａが収納されている。送風機１４Ａは、本体部１０Ａの吸込口１１Ａから空気調和エリア１０１Ａの空気を吸い込み、この吸い込んだ空気を吹出ユニット２０Ａに送るものである。熱交換器１３Ａは、送風機１４Ａによって本体部１０Ａ内に吸い込まれた空気調和エリア１０１Ａの空気を冷却又は加熱し、吸い込まれた空気の温度調節を行うものである。詳しくは、利用側ユニット２Ａが冷房運転を行う際、熱交換器１３Ａには空気調和エリア１０１Ａの空気よりも低温となった冷媒が流れ、該冷媒によって本体部１０Ａ内に吸い込まれた空気調和エリア１０１Ａの空気を冷却する。また、利用側ユニット２Ａが暖房運転を行う際、熱交換器１３Ａには空気調和エリア１０１Ａの空気よりも高温となった冷媒が流れ、該冷媒によって本体部１０Ａ内に吸い込まれた空気調和エリア１０１Ａの空気を加熱する。
【００２３】
また、利用側ユニット２Ａは、上述のように、空気調和エリア１０１Ａの天井裏１０４Ａに設置された吹出ユニット２０Ａａ、吹出ユニット２０Ａｂ、吹出ユニット２０Ａｃ、及び吹出ユニット２０Ａｄを備えている。吹出ユニット２０Ａａ、吹出ユニット２０Ａｂ、吹出ユニット２０Ａｃ、及び吹出ユニット２０Ａｄのそれぞれは、本体部１０とダクト３０Ａで接続されている。なお、図２には、本体部１０と吹出ユニット２０Ａａとを接続するダクト３０Ａａと、本体部１０と吹出ユニット２０Ａｂとを接続するダクト３０Ａｂとが、図示されている。すなわち、本体部１０Ａに吸い込まれて温度調節された空気は、各吹出ユニット２０Ａと接続されたダクト３０Ａに流入し、４方向に分流する。そして、各ダクト３０Ａに流入した空気は、各吹出ユニット２０Ａの吹出口２１Ａから空気調和エリア１０１Ａに吹き出される。
【００２４】
吹出ユニット２０Ａａ、吹出ユニット２０Ａｂ、吹出ユニット２０Ａｃ、及び吹出ユニット２０Ａｄのそれぞれは、吹出口２１Ａから吹き出される空気の上下方向の向きを調節する上下風向ベーン２３Ａを備えている。なお、図２には、吹出ユニット２０Ａａの上下風向ベーン２３Ａａと吹出ユニット２０Ａｂの上下風向ベーン２３Ａｂとが、図示されている。各吹出ユニット２０Ａに設けられた上下風向ベーン２３Ａのそれぞれは、空気調和運転時、鉛直線に対して傾きを有し、吹出口２１Ａから吹き出される空気を空気調和エリア１０１Ａの中心１０２Ａに向かって空気を案内する。
【００２５】
ここで、各上下風向ベーン２３Ａは、利用側ユニット２Ａの運転中に動作しない固定式でもよいし、利用側ユニット２Ａの運転中に電力によって傾きを変更できる可動式であってもよい。本実施の形態１に係る各上下風向ベーン２３Ａは、利用側ユニット２Ａの運転中に電力によって傾きを変更できる可動式となっており、任意の傾きに変更できる構成となっている。このため、本実施の形態１に係る各上下風向ベーン２３Ａは、冷房運転時と暖房運転時とで傾きを変更できる構成となっている。したがって、本実施の形態１に係る利用側ユニット２Ａは、上下風向ベーン２３Ａに電力を供給する給電線３Ａを備えている。給電線３Ａは、上下風向ベーン２３Ａの図示せぬ駆動源に接続されている。駆動源とは、例えばモータである。なお、図２には、上下風向ベーン２３Ａａに電力を供給する給電線３Ａａと上下風向ベーン２３Ａｂに電力を供給する給電線３Ａｂとが、図示されている。
【００２６】
詳しくは、各給電線３Ａは、電気ボックス６Ａに接続されている。この電気ボックス６Ａは、部屋１００を有する建物に敷設されている図示せぬ電源に接続されている。これにより、図示せぬ電源から各上下風向ベーン２３Ａに、電力が供給される。ここで、本実施の形態１では、給電線３Ａの少なくとも一部分は、ダクト３０Ａに接触させて配置されている。換言すると、給電線３Ａの少なくとも一部分は、ダクト３０Ａに沿うように配置されている。このように給電線３Ａを配置することにより、配線状態が綺麗になる。
【００２７】
また、本実施の形態１に係る利用側ユニット２Ａでは、吹出ユニット２０Ａａ、吹出ユニット２０Ａｂ、吹出ユニット２０Ａｃ、及び吹出ユニット２０Ａｄのそれぞれは、吹出口２１Ａから吹き出される空気の横方向の向きを調節する左右風向ベーン２４Ａを備えている。なお、図２には、吹出ユニット２０Ａａの左右風向ベーン２４Ａａと吹出ユニット２０Ａｂの左右風向ベーン２４Ａｂとが、図示されている。
【００２８】
ここで、各左右風向ベーン２４Ａは、利用側ユニット２Ａの運転中に動作しない固定式でもよいし、利用側ユニット２Ａの運転中に電力によって傾きを変更できる可動式であってもよい。本実施の形態１に係る各左右風向ベーン２４Ａは、利用側ユニット２Ａの運転中に電力によって傾きを変更できる可動式となっており、任意の傾きに変更できる構成となっている。このため、本実施の形態１に係る各左右風向ベーン２４Ａの図示せぬ駆動源は、給電線３Ａに接続されている。駆動源とは、例えばモータである。
【００２９】
また、本実施の形態１に係る利用側ユニット２Ａは、空気調和エリア１０１Ａに人が存在するか否かを検出する人感センサ４Ａを備えている。人感センサは、例えば、赤外線センサを用いたセンサである。なお、本実施の形態１では、人感センサ４Ａは利用側ユニット２Ａに設置されているセンサとしたが、これに限定されない。例えば、人感センサ４Ａは、空気調和エリア１０１Ａに設置されている図示せぬパソコンのキーボード操作の有無を検出し、空気調和エリア１０１Ａに人が存在するか否かを検出するセンサであってもよい。すなわち、人感センサ４Ａは、空気調和システム１が備えていればよい。
【００３０】
また、本実施の形態１に係る利用側ユニット２Ａは、空気調和エリア１０１Ａの空気の温度を検出する温度センサ５Ａを備えている。本実施の形態１では、温度センサ５Ａは、本体部１０内において、吸込口１１Ａの下流側に設置されている。すなわち、本実施の形態１では、本体部１０内に吸い込まれた空気調和エリア１０１Ａの空気の温度を温度センサ５Ａで検出する構成となっている。
【００３１】
［空気調和システム１の制御装置］
図３は、本発明の実施の形態１に係る空気調和システムの制御装置を説明するためのブロック図である。この図３は、制御装置５０のうちの、利用側ユニット２Ａに設けられた制御装置５０Ａのブロック図となっている。
本実施の形態１では、空気調和システム１の制御装置５０は、利用側ユニット２Ａに設けられた制御装置５０Ａと利用側ユニット２Ｂに設けられた制御装置５０Ｂとに分割して設けられている。そして、制御装置５０Ａの各構成の制御と、制御装置５０Ｂの各構成の制御とは、同じになっている。このため、以下では、制御装置５０Ａを用いて制御装置５０を説明する。なお、制御装置５０Ａと制御装置５０Ｂとを一体にして構成しても勿論よい。この場合、一つの制御装置５０にて、利用側ユニット２Ａの各構成及び利用側ユニット２Ｂの各構成を制御することとなる。
【００３２】
制御装置５０Ａは、専用のハードウェア、又はメモリに格納されるプログラムを実行するＣＰＵ（Ｃｅｎｔｒａｌ  Ｐｒｏｃｅｓｓｉｎｇ  Ｕｎｉｔ）で構成されている。なお、ＣＰＵは、中央処理装置、処理装置、演算装置、マイクロプロセッサ、マイクロコンピュータ、又はプロセッサともいう。
【００３３】
制御装置５０Ａが専用のハードウェアである場合、制御装置５０Ａは、例えば、単一回路、複合回路、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ−ｐｒｏｇｒａｍｍａｂｌｅ  ｇａｔｅ  ａｒｒａｙ）、又はこれらを組み合わせたものが該当する。制御装置５０Ａが実現する各機能部のそれぞれを、個別のハードウェアで実現してもよいし、各機能部を一つのハードウェアで実現してもよい。
【００３４】
制御装置５０ＡがＣＰＵの場合、制御装置５０Ａが実行する各機能は、ソフトウェア、ファームウェア、又はソフトウェアとファームウェアとの組み合わせにより実現される。ソフトウェア及びファームウェアはプログラムとして記述され、メモリに格納される。ＣＰＵは、メモリに格納されたプログラムを読み出して実行することにより、制御装置５０Ａの各機能を実現する。ここで、メモリは、例えば、ＲＡＭ、ＲＯＭ、フラッシュメモリ、ＥＰＲＯＭ、又はＥＥＰＲＯＭ等の、不揮発性又は揮発性の半導体メモリである。
【００３５】
制御装置５０Ａの機能の一部を専用のハードウェアで実現し、一部をソフトウェア又はファームウェアで実現するようにしてもよい。
【００３６】
本実施の形態１に係る制御装置５０Ａは、機能部として、入力部５１、演算部５２、制御部５３、及び記憶部５４を備えている。入力部５１は、温度センサ５Ａ及び人感センサ４Ａの検出値が入力される機能部である。入力部５１には、図示せぬリモートコントローラ等から、冷房運転の開始及び停止、暖房運転の開始及び停止、冷房運転時の利用側ユニット２Ａの設定温度、暖房運転時の利用側ユニット２Ａの設定温度等も入力される。演算部５２は、入力部５１に入力された情報及び記憶部５４に記憶されている情報に基づいて、上下風向ベーン２３Ａの傾き、左右風向ベーン２４Ａの傾き、及び送風機１４Ａの回転数等、利用側ユニット２Ａの空調運転時の制御パラメータを演算する機能部である。制御部５３は、演算部５２が演算した制御パラメータ等に基づいて、上下風向ベーン２３Ａの傾き、左右風向ベーン２４Ａの傾き、及び送風機１４Ａの回転数等を制御する機能部である。記憶部５４は、入力部５１に入力された情報、制御部５３が用いる設定値及び制御目標値等を記憶する機能部である。
【００３７】
［空気調和システム１の運転動作］
続いて、本実施の形態１に係る空気調和システム１の運転動作について説明する。なお、以下では、空気調和システム１の効果が理解しやすいように、まず、従来の空気調和システム２０１の運転動作について説明する。そして、その後に、本実施の形態１に係る空気調和システム１の運転動作について説明する。
【００３８】
図４は、従来の空気調和システムの運転動作を説明するための側面図である。図４は、部屋１００に従来の空気調和システム２０１を設置した状態を示す側面図となっている。従来の空気調和システム２０１は、空気調和エリア１０１Ａ及び空気調和エリア１０１Ｂのそれぞれの天井裏に、利用側ユニット２０２が設置されている。利用側ユニット２０２は、四方向天井カセット型の利用側ユニットである。詳しくは、利用側ユニット２０２は、下面部に吸込口２１１及び４つの吹出口２２１が形成された略直方体の筐体２１０を備えている。吸込口２１１は、筐体２１０の下面部の中央部に形成されている。４つの吹出口２２１は、筐体２１０の下面部に、吸込口２１１の四方を囲むように形成されている。また、筐体２１０の内部には、吸込口２１１から空気を吸い込んで吹出口２２１から吹き出すための図示せぬ送風機と、筐体２１０内に吸い込まれた空気を冷却又は加熱する図示せぬ熱交換器とが、収納されている。
【００３９】
このように構成された利用側ユニット２０２は、平面視において空気調和エリア１０１の略中央部に配置される。そして、筐体２１０内で図示せぬ送風機が回転することにより、空気調和エリア１０１の空気を吸込口２１１から筐体２１０内に吸い込む。この吸い込まれた空気は、図示せぬ熱交換器で温度調節され、吹出口２２１から吹き出される。
【００４０】
この際、従来の利用側ユニット２０２では、温度調節された空気は、図４に示すように、筐体２１０の外周側へ向かって吹き出される。したがって、空気調和エリア１０１Ａに設置された利用側ユニット２０２から空気調和エリア１０１Ａへ吹き出された温度調節された空気は、空気調和エリア１０１Ａの空気と十分に熱交換する前に、空気調和エリア１０１Ｂに流れ出てしまう。このため、空気調和エリア１０１Ａに設置された利用側ユニット２０２が冷房運転している場合、空気調和エリア１０１Ａの空気に冷熱を十分に供給する前に、空気調和エリア１０１Ａの空気に供給すべき冷熱が空気調和エリア１０１Ｂに流出してしまう。また、空気調和エリア１０１Ａに設置された利用側ユニット２０２が暖房運転している場合、空気調和エリア１０１Ａの空気に温熱を十分に供給する前に、空気調和エリア１０１Ａの空気に供給すべき温熱が空気調和エリア１０１Ｂに流出してしまう。
【００４１】
したがって、従来の空気調和システム２０１は、空気調和エリア１０１Ａを選択的に空気調和することができず、省エネルギー化を十分に図ることができない。空気調和エリア１０１Ｂに設置された利用側ユニット２０２が冷房運転及び暖房運転を行う場合も同様である。
【００４２】
図５は、本発明の実施の形態１に係る空気調和システムの運転動作を説明するための側面図であり、利用側ユニットが冷房運転しているときの動作を示す図である。また、図６は、本発明の実施の形態１に係る空気調和システムの運転動作を説明するための側面図であり、利用側ユニットが暖房運転しているときの動作を示す図である。
【００４３】
本実施の形態１に係る空気調和システム１においては、利用側ユニット２の吹出ユニット２０のそれぞれは、ダクト３０で本体部１０と接続されている。このため、吹出ユニット２０のそれぞれを、吹出口２１が空気調和エリア１０１の各辺近傍となる位置に設置することができる。すなわち、平面視において、各吹出口２１を、空気調和エリア１０１内のなるべく外周側に配置することができる。また、本実施の形態１に係る空気調和システム１においては、空調運転時に吹出ユニット２０のそれぞれから吹き出される空気の向きは、上下風向ベーン２３により、鉛直線に対して空気調和エリア１０１の中心１０２方向に傾く。
【００４４】
このため、空気調和エリア１０１においては、吹出口２１Ａのそれぞれから空気調和エリア１０１へ吹き出された温度調節された空気は、空気調和エリア１０１Ａ内において外周側から中心方向に流れる。そして、その後に再度空気調和エリア１０１Ａ内の外周側へ流れ、空気調和エリア１０１Ａから空気調和エリア１０１Ｂへ流れ出ることとなる。したがって、吹出口２１Ａのそれぞれから空気調和エリア１０１Ａへ吹き出された温度調節された空気は、空気調和エリア１０１Ａの滞在時間が長くなり、空気調和エリア１０１Ａ内の空気と十分に熱交換した後に空気調和エリア１０１Ｂへ流れ出る。
【００４５】
このため、空気調和エリア１０１Ａに設置された利用側ユニット２Ａが冷房運転している場合、空気調和エリア１０１Ａの空気に冷熱を十分に供給できる。したがって、吹出口２１Ａのそれぞれから空気調和エリア１０１Ａへ吹き出された空気は、空気調和エリア１０１Ｂへ流れ出るころには、冷熱がほとんどない状態つまり空気調和エリア１０１Ａの空気と略同温となる。また、空気調和エリア１０１Ａに設置された利用側ユニット２Ａが暖房運転している場合、空気調和エリア１０１Ａの空気に温熱を十分に供給できる。したがって、吹出口２１Ａのそれぞれから空気調和エリア１０１Ａへ吹き出された空気は、空気調和エリア１０１Ｂへ流れ出るころには、温熱がほとんどない状態つまり空気調和エリア１０１Ａの空気と略同温となる。
【００４６】
したがって、本実施の形態１に係る空気調和システム１は、空気調和エリア１０１Ａを選択的に空気調和することができ、従来よりも省エネルギー化を図ることができる。空気調和エリア１０１Ｂを選択的に空気調和する場合も同様である。
【００４７】
また、本実施の形態１に係る空気調和システム１の利用側ユニット２は、冷房運転時と暖房運転時とで、上下風向ベーン２３の傾きを異ならせている。換言すると、本実施の形態１に係る空気調和システム１の利用側ユニット２は、冷房運転時と暖房運転時とで、吹出口２１から吹き出される空気の向きを異ならせている。
【００４８】
詳しくは、冷房運転時に吹出口２１から吹き出される空気の鉛直線に対する傾きは、暖房運転時に吹出口２１から吹き出される空気の鉛直線に対する傾きよりも大きくなっている。すなわち、冷房運転時、吹出口２１から吹き出される空気は暖房運転時よりも空気調和エリア１０１の上方に供給される。冷房運転時に吹出口２１から吹き出される空気は、空気調和エリア１０１の空気よりも冷たいため、空気調和エリア１０１内において下方に流れていきやすい。このため、冷房運転時、吹出口２１から吹き出される空気を空気調和エリア１０１の上方に供給することにより、吹出口２１から吹き出される空気の空気調和エリア１０１での滞在時間をより長くできる。このため、冷房運転時、隣接する空気調和エリア１０１へ冷熱が流出することをより抑制でき、省エネルギー効果を向上させることができる。
【００４９】
また、暖房運転時、吹出口２１から吹き出される空気は冷房運転時よりも空気調和エリア１０１の下方に供給される。暖房運転時に吹出口２１から吹き出される空気は、空気調和エリア１０１の空気よりも暖かいため、空気調和エリア１０１内において上方に流れていきやすい。このため、暖房運転時、吹出口２１から吹き出される空気を空気調和エリア１０１の下方に供給することにより、吹出口２１から吹き出される空気の空気調和エリア１０１での滞在時間をより長くできる。このため、暖房運転時、隣接する空気調和エリア１０１へ温熱が流出することをより抑制でき、省エネルギー効果を向上させることができる。
【００５０】
具体的には、本実施の形態１に係る利用側ユニット２においては、冷房運転時に吹出口２１から吹き出される空気の鉛直線に対する傾きは、図５のようになっている。なお、以下では、利用側ユニット２Ａを用いて、冷房運転時に吹出口２１から吹き出される空気の傾きを説明する。利用側ユニット２Ａの冷房運転時、各吹出口２１Ａから吹き出される空気は、側面視において、空気調和エリア１０１Ａの床面１０５に到達する前に、空気調和エリア１０１Ａの中心１０２Ａを通る鉛直線１０３に到達する。冷房運転時に各吹出口２１Ａから吹き出される空気の鉛直線に対する傾きをこのようにすることにより、各吹出口２１Ａから吹き出される空気の空気調和エリア１０１Ａでの滞在時間をより長くできる。このため、利用側ユニット２Ａの冷房運転時、空気調和エリア１０１Ａから空気調和エリア１０１Ｂへ冷熱が流出することをより抑制でき、省エネルギー効果を向上させることができる。
【００５１】
また、本実施の形態１においては、利用側ユニット２Ａの冷房運転時、各吹出ユニット２０Ａの上下風向ベーン２３Ａは、略同じ傾きとなっている。このため、各吹出口２１Ａから吹き出された空気は、空気調和エリア１０１Ａの中心１０２Ａを通る鉛直線１０３近傍で衝突し、平面視において空気調和エリア１０１Ａの中心１０２Ａ近傍でより長く留まることができる。また、各吹出口２１Ａから吹き出された空気が空気調和エリア１０１Ａの床面１０５に直接衝突することを抑制できる。このため、各吹出口２１Ａから吹き出された空気が床面１０５に衝突した際に流れ方向が変わり、空気調和エリア１０１Ｂへ流れ出てしまうことを抑制できる。したがって、利用側ユニット２Ａの冷房運転時、各吹出ユニット２０Ａの上下風向ベーン２３Ａを略同じ傾きとすることで、空気調和エリア１０１Ａから空気調和エリア１０１Ｂへ冷熱が流出することをさらに抑制できる。すなわち、利用側ユニット２Ａの冷房運転時、各吹出ユニット２０Ａの上下風向ベーン２３Ａを略同じ傾きとすることで、省エネルギー効果をさらに向上させることができる。
【００５２】
また、具体的には、本実施の形態１に係る利用側ユニット２においては、暖房運転時に吹出口２１から吹き出される空気の鉛直線に対する傾きは、図６のようになっている。なお、以下では、利用側ユニット２Ａを用いて、暖房運転時に吹出口２１から吹き出される空気の傾きを説明する。利用側ユニット２Ａの暖房運転時、各吹出口２１Ａから吹き出される空気は、側面視において、空気調和エリア１０１Ａの中心１０２Ａを通る鉛直線１０３に到達する前に、空気調和エリア１０１Ａの床面１０５に到達する。暖房運転時に各吹出口２１Ａから吹き出される空気の鉛直線に対する傾きをこのようにすることにより、各吹出口２１Ａから吹き出された暖気を、空気調和エリア１０１Ａの下部まで供給することができる。すなわち、各吹出口２１Ａから吹き出された暖気を、空気調和エリア１０１Ａに存在する人の位置まで供給することができる。
【００５３】
なお、暖房運転時に各吹出口２１Ａから吹き出される空気の鉛直線に対する傾きをこのようにすることにより、各吹出口２１Ａから吹き出された空気は、空気調和エリア１０１Ａの床面１０５に直接衝突する。しかしながら、各吹出口２１Ａから吹き出された空気が床面１０５に衝突した際に流れ方向が変わっても、その大部分が平面視において空気調和エリア１０１Ａの中心１０２Ａ方向へ流れる。このため、空気調和エリア１０１Ａから空気調和エリア１０１Ｂへ流出する温熱は、ほとんど増加しない。
【００５４】
以上のように、冷房運転時と暖房運転時とで上下風向ベーン２３の傾きを異ならせることにより、冷房運転時及び暖房運転時の双方において、各空気調和エリア１０１の環境を快適に保つことができる。
【００５５】
また、本実施の形態１に係る空気調和システム１は、各利用側ユニット２が各空気調和エリア１０１を選択的に空気調和できるので、利用側ユニット２Ａの設定温度と利用側ユニット２Ｂの設定温度とを２℃以上異なせることも可能となる。例えば、空気調和エリア１０１Ａには暑がりな人が集まり、利用側ユニット２Ａの設定温度が２４℃に設定されたとする。また、空気調和エリア１０１Ｂには寒がりな人が集まり、利用側ユニット２Ｂの設定温度が２６℃に設定されたとする。本実施の形態１に係る空気調和システム１は、各利用側ユニット２が各空気調和エリア１０１を選択的に空気調和できるので、空気調和エリア１０１Ａ及び空気調和エリア１０１Ｂの双方において空気調和エリア１０１内の温度を設定温度とすることができる。すなわち、本実施の形態１に係る空気調和システム１は、暑がりな人及び寒がりな人の両方に快適な空間を提供することができる。
【００５６】
また、本実施の形態１に係る空気調和システム１は、空気調和エリア１０１に人が存在するか否かを検出する人感センサを備えている。このため、空気調和エリア１０１内の人の有無に応じて利用側ユニット２の運転動作を変更することにより、更なる省エネルギー化を図ることができる。以下に、空気調和エリア１０１内の人の有無に応じて利用側ユニット２の運転動作を変更する制御フローの一例を紹介する。なお、以下では、利用側ユニット２Ａを用いて、空気調和エリア１０１内の人の有無に応じた運転動作の変更方法を説明することとする。利用側ユニット２Ｂの運転動作の変更方法も、同様となる。
【００５７】
図７は、本発明の実施の形態１に係る空気調和システムの制御方法の一例を示すフローチャートである。
図示せぬリモートコントローラ等から空気調和運転の指令が制御装置５０Ａの入力部５１に入力されると、ステップＳ１において制御装置５０Ａの制御部５３は、利用側ユニット２Ａの空気調和運転を開始する。すなわち、制御部５３は、利用側ユニット２Ａの冷房運転又は暖房運転を開始する。
【００５８】
ステップＳ２は、空気調和エリア１０１Ａに人が存在しているか否かを判定するステップである。ステップＳ２において人感センサ４Ａが人の存在を検出しない場合、つまり空気調和エリア１０１Ａに人が存在しない場合、ステップＳ３に進む。
【００５９】
空気調和エリア１０１Ａに人が存在しない場合、ステップＳ３において制御部５３は、利用側ユニット２Ａの運転状態を空気調和運転から送風運転に切り替え、利用側ユニット２Ａの送風運転を行う。なお、後述のように、利用側ユニット２Ａの空気調和運転の停止指令が入力されるまでは、図７に示すステップＳ２からステップＳ７が繰り返される。このため、ステップＳ２の時点で利用側ユニット２Ａの運転状態が送風運転となっている場合がある。この場合、ステップＳ３において制御部５３は、利用側ユニット２Ａの送風運転を継続することとなる。
【００６０】
ここで、送風運転とは、熱交換器１３Ａにて空気が冷却及び加熱されず、吸込口１１Ａから吸い込まれた空気調和エリア１０１Ａの空気がそのままの温度で各吹出口２１Ａから吹き出される運転である。利用側ユニット２Ａを送風運転とすることにより、人が存在しない空気調和エリア１０１Ａの温度調節がなされないため、空気調和システム１の消費電力を削減することができる。なお、利用側ユニット２Ａが送風運転を行い、利用側ユニット２Ｂが冷房運転を行っている場合、空気調和エリア１０１Ａ内の温度が空気調和エリア１０１Ｂ内の温度よりも高くなる。また、利用側ユニット２Ａが送風運転を行い、利用側ユニット２Ｂが暖房運転を行っている場合、空気調和エリア１０１Ａ内の温度が空気調和エリア１０１Ｂ内の温度よりも低くなる。しかしながら、上述のように利用側ユニット２Ｂは選択的に空気調和エリア１０１Ｂ内を空気調和できるので、利用側ユニット２Ａが送風運転を行っても空気調和エリア１０１Ｂの快適性を保つことができる。
【００６１】
また、空気調和エリア１０１Ａに人が存在しない場合、ステップＳ３の後のステップＳ４において制御部５３は、送風機１４Ａの回転数を、空気調和運転時の送風機１４Ａの設定値よりも低くする。すなわち、利用側ユニット２Ａが送風運転を行うときの送風機１４Ａの回転数は、利用側ユニット２Ａが空気調和運転を行うときの送風機１４Ａの回転数よりも低くなる。空気調和エリア１０１Ａに人が存在しない場合に送風機１４Ａの回転数を低くすることにより、送風機１４Ａの送風動力を削減することができ空気調和システム１の消費電力を削減できる。
【００６２】
ステップＳ４の後のステップＳ７は、図示せぬリモートコントローラ等から利用側ユニット２Ａの空気調和運転の停止指令があるか否かを判定するステップである。ステップＳ７において、利用側ユニット２Ａの空気調和運転の停止指令が制御装置５０Ａの入力部５１に入力されていない場合、ステップＳ２に戻る。また、ステップＳ７において、利用側ユニット２Ａの空気調和運転の停止指令が制御装置５０Ａの入力部５１に入力されている場合、制御部５３は、利用側ユニット２Ａの空気調和運転を停止する。
【００６３】
一方、ステップＳ２において人感センサ４Ａが人の存在を検出した場合、つまり空気調和エリア１０１Ａに人が存在する場合、ステップＳ５に進む。空気調和エリア１０１Ａに人が存在する場合、ステップＳ５において制御部５３は、空気調和運転を継続する。なお、利用側ユニット２Ａの空気調和運転の停止指令が入力されるまでは、図７に示すステップＳ２からステップＳ７が繰り返される。このため、ステップＳ２の時点で利用側ユニット２Ａの運転状態が送風運転となっている場合がある。この場合、ステップＳ５において制御部５３は、利用側ユニット２Ａの運転状態を送風運転から空気調和運転に切り替える。
【００６４】
ステップＳ５の後のステップＳ６において制御部５３は、送風機１４Ａの回転数を空気調和運転時の設定値とし、ステップＳ７に進む。ステップＳ７において、利用側ユニット２Ａの空気調和運転の停止指令が制御装置５０Ａの入力部５１に入力されていない場合、ステップＳ２に戻る。また、ステップＳ７において、利用側ユニット２Ａの空気調和運転の停止指令が制御装置５０Ａの入力部５１に入力されている場合、制御部５３は、利用側ユニット２Ａの空気調和運転を停止する。
【００６５】
また、本実施の形態１に係る空気調和システム１においては、利用側ユニット２の各吹出ユニット２０は、吹出口２１から吹き出される空気の横方向の向きを調節する左右風向ベーン２４を備えている。このため、平面視において空気調和エリア１０１の中心１０２を挟んで向かい合う２つの吹出ユニット２０からの空気の吹出方向を以下のように調節することにより、空気調和エリア１０１内の人にドラフト感を与えることを抑制できる。ここで、ドラフト感とは、風が当たっているという感覚であり、人を不快にする感覚である。なお、以下では、利用側ユニット２Ａを用いて、ドラフト感を抑制できる運転方法について説明する。また、以下では、吹出ユニット２０Ａａを第１吹出ユニットとし、吹出ユニット２０Ａｂを第２吹出ユニットとして、ドラフト感を抑制できる運転方法について説明する。
【００６６】
図８は、本発明の実施の形態１に係る空気調和システムの運転動作の一例を説明するための図である。この図８は、空調対象空間である部屋１００を上方から観察し、空気調和システム１の利用側ユニット２の本体部１０及び吹出ユニット２０の配置位置を示した図である。なお、図８では、本体部１０の吸込口１１及び吹出ユニット２０の吹出口２１の位置を示している。
ここで、ドラフト感を抑制できる運転方法を説明するに際し、第１仮想直線１１１、第２仮想直線１１２、第１方向１２１、及び第２方向１２２を次のように定義する。平面視において、吹出ユニット２０Ａａの吹出口２１Ａａの中心２２Ａａと空気調和エリア１０１Ａの中心１０２Ａとを結ぶ仮想直線を、第１仮想直線１１１とする。平面視において、吹出ユニット２０Ａｂの吹出口２１Ａｂの中心２２Ａｂと空気調和エリア１０１Ａの中心１０２Ａとを結ぶ仮想直線を、第２仮想直線１１２とする。平面視において、第１仮想直線１１１と垂直な方向のうちの一方を第１方向１２１とする。平面視において、第１仮想直線１１１と垂直な方向のうちの他方を第２方向１２２とする。
【００６７】
このように定義した場合、吹出ユニット２０Ａａの左右風向ベーン２４Ａａは、第１仮想直線１１１に対して第１方向１２１に傾くように吹出口２１Ａａから空気が吹き出される傾きとなる。また、吹出ユニット２０Ａｂの左右風向ベーン２４Ａｂは、第２仮想直線１１２に対して第２方向１２２に傾くように吹出口２１Ａｂから空気が吹き出される傾きとなる。
【００６８】
空気調和エリア１０１Ａを空気調和する際、平面視において、各吹出ユニット２０Ａの吹出口２１Ａから吹き出される空気の方向が、いずれも空気調和エリア１０１Ａの中心１０２Ａを向いているとする。この場合、各吹出口２１Ａからの合計吹出風量が大きいと、空気調和エリア１０１Ａの中央付近において、比較的風速の高い領域が発生する。このため、空気調和エリア１０１Ａの中央付近に存在している人にドラフト感を与えてしまう可能性がある。一方、吹出ユニット２０Ａａの左右風向ベーン２４Ａａ及び吹出ユニット２０Ａｂの左右風向ベーン２４Ａｂを図８に示した様に設定することにより、空気調和エリア１０１Ａの中央付近に吹き込む風量が減少する。このため、空気調和エリア１０１Ａの中央付近の風速を抑制でき、空気調和エリア１０１Ａの中央付近に存在している人にドラフト感を与えることを抑制できる。
【００６９】
なお、上述した空気調和システム１の構成は、あくまでも一例である。例えば、利用側ユニット２のうちの少なくとも一つは、本体部１０を複数備えていてもよい。また例えば、吹出ユニット２０のうちの少なくとも一つを、平面視において、空気調和エリア１０１の角部に配置してもよい。
【００７０】
また例えば、利用側ユニット２が備える吹出ユニット２０の数は、４つに限定されない。例えば、平面視において空気調和エリア１０１の少なくとも一つの辺近傍に吹出ユニットを２つ以上配置する等、利用側ユニット２が吹出ユニット２０を５つ以上備えていてもよい。例えば、吹出ユニット２０を３つ以下にしても吹出ユニット２０からの吹出風量が所望の風量となるのであれば、吹出ユニット２０を３つ以下にしてもよい。すなわち、利用側ユニット２は、少なくとも一つの吹出ユニット２０を備えていればよい。
【００７１】
また例えば、空気調和システム１が備える利用側ユニット２の数は、空気調和エリア１０１と同数に限定されない。本実施の形態１に係る利用側ユニット２を、少なくとも１つの空気調和エリア１０１に配置すればよい。その際、部屋１００内全域を空気調和する場合には、その他の空気調和エリア１０１に、本実施の形態１に係る利用側ユニット２とは異なる利用側ユニットを配置すればよい。本実施の形態１に係る利用側ユニット２が配置された空気調和エリア１０１においては、利用側ユニット２が当該空気調和エリア１０１を選択的に空気調和できる。このため、空気調和システム１は、少なくとも１つの利用側ユニット２を備えていれば、従来よりも省エネルギー化を図ることができる。
【００７２】
以上、本実施の形態１に係る空気調和システム１は、内部が平面視において四角形状の複数の空気調和エリア１０１に区画される部屋１００を空気調和する空気調和システムである。空気調和システム１は、空気調和エリア１０１の１つの天井裏１０４に設置され、該空気調和エリア１０１を空気調和する空気調和運転を行う利用側ユニット２を備えている。利用側ユニット２が設置される空気調和エリア１０１を設置エリアとした場合、利用側ユニット２は、前記設置エリアの天井裏１０４に設置され、下面部に形成された吸込口１１から吸い込んだ前記設置エリアの空気を冷却又は加熱する本体部１０と、本体部１０とダクト３０で接続されて前記設置エリアの天井裏１０４に設置され、本体部１０から供給された空気を下面部に形成された吹出口２１から吹き出す吹出ユニット２０と、を備えている。吹出ユニット２０は、吹出口２１から吹き出される空気の上下方向の向きを調節する上下風向ベーン２３を備えている。そして、上下風向ベーン２３は、鉛直線に対して傾きを有し、前記設置エリアの中心に向かって空気を案内する。
【００７３】
本実施の形態１に係る空気調和システム１においては、吹出ユニット２０の吹出口２１から吹き出される温度調節された空気は、前記設置エリアの中心方向に流れた後、該設置エリアから流れ出ることとなる。このため、吹出ユニット２０の吹出口２１から吹き出された温度調節された空気は、設置エリア内の空気と十分に熱交換した後に、該設置エリアから流れ出る。すなわち、本実施の形態１に係る空気調和システム１においては、前記設置エリアの外部へ冷熱又は温熱が流出することを従来よりも抑制できる。したがって、本実施の形態１に係る空気調和システム１は、部屋１００内の一部のエリアを従来よりも選択的に空気調和することができ、従来よりも省エネルギー化を図ることができる。
【００７４】
実施の形態２．
実施の形態１では、平面視において２つの空気調和エリア１０１に区画された部屋１００に、空気調和システム１を用いた。しかしながら、空気調和システム１を用いることが出来る部屋は、実施の形態１で示した部屋１００に限定されない。本実施の形態２に示すように、実施の形態１で示した部屋よりも大きい部屋に、すなわち平面視において２つよりも多くの空気調和エリア１０１に区画された部屋に、空気調和システム１を採用することができる。なお、本実施の形態２において、特に記述しない項目については実施の形態１と同様とし、実施の形態１と同一の機能及び構成については同一の符号を用いて述べることとする。
【００７５】
図９は、本発明の実施の形態２に係る空気調和システムの配置構成を説明するための図である。この、図９は、空調対象空間である部屋１００を上方から観察し、空気調和システム１の利用側ユニット２の本体部１０及び吹出ユニット２０の配置位置を示した図である。なお、図９では、本体部１０の吸込口１１及び吹出ユニット２０の吹出口２１の位置を示している。
【００７６】
本実施の形態２に係る部屋１００は、実施の形態１で示した部屋１００よりも大きな規模の部屋であり、例えば中規模以上の執務室である。本実施の形態２に係る部屋１００の内部は、平面視において四角形状の６つの空気調和エリア１０１に区画されている。具体的には、部屋１００の内部は、平面視において四角形状の空気調和エリア１０１Ａ、空気調和エリア１０１Ｂ、空気調和エリア１０１Ｃ、空気調和エリア１０１Ｄ、空気調和エリア１０１Ｅ、及び空気調和エリア１０１Ｆに区画されている。そして、空気調和エリア１０１のそれぞれの天井裏には、利用側ユニット２が設置されている。また、各利用側ユニット２の本体部１０は、吸込口１１の中心１２が平面視において空気調和エリア１０１の中心１０２と一致するように設置されている。なお、各利用側ユニット２の吹出ユニット２０の設置位置については後述する。
【００７７】
詳しくは、部屋１００には、主に職場の担当者の席の集まりであるデスク群１３１が３つ設置されている。具体的には、部屋１００には、デスク群１３１Ａ、デスク群１３１Ｂ及びデスク群１３１Ｃが設置されている。これらのデスク群１３１は、部屋１００のインテリアゾーンに設置されている。なお、インテリアゾーンとは、例えば通路側等、部屋１００内において日差し及び外気等の影響を受けにくい範囲である。また、各デスク群１３１の側方には、管理者及び上長等が用いるデスク１３２が設置されている。具体的には、デスク群１３１Ａの側方には、デスク１３２Ｄが設置されている。デスク群１３１Ｂの側方には、デスク１３２Ｅが設置されている。デスク群１３１Ｃの側方には、デスク１３２Ｆが設置されている。これらのデスク１３２は、部屋１００のペリメータゾーンに設置されている。なお、ペリメータゾーンとは、例えば窓側等、部屋１００内において日差し及び外気等の影響を受けやすい範囲である。また、デスク群１３１におけるデスク１３２側とは反対側の側方には、通路１３３が設けられている。また、通路１３３の一端には、部屋１００に出入りするためのドア１３４が設置されている。
【００７８】
中規模以上の執務室の一般的な座席レイアウトとしては、本実施の形態２に示すように、インテリアゾーン側に担当者の席の集まりであるデスク群１３１が設置され、ペリメータゾーン側に管理者及び上長等が用いるデスク１３２が設置される場合がある。このような場合、本実施の形態２に示すように、各空気調和エリア１０１を設ける。具体的には、１つのデスク群１３１と、該デスク群１３１の側方に設置されたデスク１３２とを、１つの組とする。そしてこの１つの組に対して、インテリアゾーン側の空気調和エリア１０１と、ペリメータゾーン側の空気調和エリア１０１とを設ける。そして、デスク群１３１及びデスク１３２の組の数だけ、インテリアゾーン側の空気調和エリア１０１とペリメータゾーン側の空気調和エリア１０１との組を設ける。なお、デスク群１３１の大きさによっては、２つのデスク群１３１と、これらデスク群１３１の側方に設置された２つのデスク１３２とを、１つの組としてもよい。
【００７９】
具体的には、本実施の形態２では、デスク群１３１Ａとデスク１３２Ｄとの組に対して、インテリアゾーン側の空気調和エリア１０１Ａと、ペリメータゾーン側の空気調和エリア１０１Ｄとが設けられている。デスク群１３１Ｂとデスク１３２Ｅとの組に対して、インテリアゾーン側の空気調和エリア１０１Ｂと、ペリメータゾーン側の空気調和エリア１０１Ｅとが設けられている。デスク群１３１Ｃとデスク１３２Ｆとの組に対して、インテリアゾーン側の空気調和エリア１０１Ｃと、ペリメータゾーン側の空気調和エリア１０１Ｆとが設けられている。なお、部屋１００では通路１３３での積極的な空気調和は不要であるため、本実施の形態２では通路１３３を空気調和エリア１０１には含めていない。
【００８０】
本実施の形態２のように２つよりも多くの空気調和エリア１０１に区画された部屋１００に空気調和システム１を用いた場合でも、各利用側ユニット２を実施の形態１で示したように運転させることにより、部屋１００内の一部のエリアを従来よりも選択的に空気調和することができ、従来よりも省エネルギー化を図ることができる。例えば、各利用側ユニット２が人感センサ４を備えている場合、インテリアゾーン側においてデスク群１３１Ａに在席者がいなくなり、ペリメータゾーン側においてデスク１３２Ｅの上長が不在となったとする。この場合、利用側ユニット２Ａ及び利用側ユニット２Ｅを、実施の形態１の図７で示した様に送風運転にし、その他の利用側ユニット２の空気調和運転を継続すればよい。空気調和エリア１０１Ａ及び空気調和エリア１０１Ｅ以外の空気調和エリア１０１の快適性を保ちつつ、利用側ユニット２Ａ及び利用側ユニット２Ｅが処理する熱量を削減できる。すなわち、空気調和エリア１０１Ａ及び空気調和エリア１０１Ｅ以外の空気調和エリア１０１の快適性を保ちつつ、空気調和システム１の消費電力を削減することができる。
【００８１】
なお、本実施の形態２に係る部屋１００は６つの空気調和エリア１０１に区画されていたが、７つ以上の空気調和エリア１０１に区画された部屋１００に空気調和システム１を採用しても勿論よい。
【００８２】
ここで、本実施の形態２に係る空気調和システム１の各利用側ユニット２は、設置される空気調和エリア１０１に応じて、各吹出ユニット２０の設置位置が異なっている。具体的には、平面視において部屋１００の側壁１０６と対向する辺を有する空気調和エリア１０１では、複数の吹出ユニット２０は、平面視において部屋１００の側壁１０６と対向していない辺のみに沿って設けられている。
【００８３】
例えば、空気調和エリア１０１Ｂは、四辺のいずれも側壁１０６と対向していない。このため、空気調和エリア１０１Ｂの利用側ユニット２Ｂは、実施の形態１と同様に、空気調和エリア１０１Ｂの四辺のそれぞれに沿って、吹出ユニット２０Ｂが設けられている。また例えば、空気調和エリア１０１Ａ、空気調和エリア１０１Ｃ及び空気調和エリア１０１Ｅは、一辺が側壁１０６と対向している。このため、これらの空気調和エリア１０１の利用側ユニット２は、側壁１０６と対向している空気調和エリア１０１の一辺に沿っては吹出ユニット２０が設けられておらず、側壁１０６と対向していない空気調和エリア１０１の三辺に沿って、吹出ユニット２０が設けられている。なお、これらの空気調和エリア１０１の利用側ユニット２は、合計吹出風量が実施の形態１と同じになるよう、側壁１０６と対向していない辺の近傍に、実施の形態１では側壁１０６と対向している辺に設けられていた吹出ユニット２０が設けられている。なお、吹出ユニット２０の少なくとも１つの吹出口２１の開口面積を大きくすることにより、合計吹出風量を調節してもよい。
【００８４】
また例えば、空気調和エリア１０１Ｄ及び空気調和エリア１０１Ｆは、二辺が側壁１０６と対向している。このため、これらの空気調和エリア１０１の利用側ユニット２は、側壁１０６と対向している空気調和エリア１０１の二辺に沿っては吹出ユニット２０が設けられておらず、側壁１０６と対向していない空気調和エリア１０１の二辺に沿って、吹出ユニット２０が設けられている。なお、これらの空気調和エリア１０１の利用側ユニット２は、合計吹出風量が実施の形態１と同じになるよう、側壁１０６と対向していない辺の近傍に、実施の形態１では側壁１０６と対向している辺に設けられていた吹出ユニット２０が設けられている。なお、吹出ユニット２０の少なくとも１つの吹出口２１の開口面積を大きくすることにより、合計吹出風量を調節してもよい。
【００８５】
平面視において少なくとも一辺が部屋１００の側壁１０６と対向している空気調和エリア１０１では、側壁１０６と対向していない辺近傍に設けられた吹出ユニット２０から吹き出された空気の少なくとも一部は、空気調和エリア１０１の中央付近を通過後、側壁１０６に衝突する。そして、側壁１０６に衝突した空気は、再度、空気調和エリア１０１の中央付近に流れていく。このため、平面視において部屋１００の側壁１０６と対向する辺近傍には、吹出ユニット２０を設置する必要がない。また、平面視において部屋１００の側壁１０６と対向する辺近傍に吹出ユニット２０を設けたとすると、当該吹出ユニット２０から吹き出される空気は、空気調和エリア１０１の中央付近を通過後、隣接する空気調和エリア１０１に流れ出ることとなる。このため、吹出ユニット２０から吹き出された空気が側壁１０６で反射することを利用することにより、空気調和エリア１０１をより選択的に空気調和できることとなる。
【００８６】
実施の形態３．
空気調和システム１は、実施の形態１及び実施の形態２で示した構成に限定されず、例えば本実施の形態３のように構成してもよい。なお、本実施の形態３において、特に記述しない項目については実施の形態１又は実施の形態２と同様とし、実施の形態１又は実施の形態２と同一の機能及び構成については同一の符号を用いて述べることとする。
【００８７】
図１０は、本発明の実施の形態３に係る空気調和システムの配置構成を説明するための図である。この、図１０は、空調対象空間である部屋１００を上方から観察し、空気調和システム１の利用側ユニット２の本体部１０及び吹出ユニット２０の配置位置を示した図である。なお、図１０では、本体部１０の吸込口１１及び吹出ユニット２０の吹出口２１の位置を示している。
【００８８】
本実施の形態３に係る部屋１００は、小規模な執務室を想定している。このため、本実施の形態３に係る部屋１００の内部は、平面視において四角形状の２つの空気調和エリア１０１に区画されている。具体的には、部屋１００の内部は、平面視において四角形状の空気調和エリア１０１Ａ及び空気調和エリア１０１Ｂに区画されている。そして、空気調和エリア１０１のそれぞれの天井裏には、利用側ユニット２が設置されている。
【００８９】
詳しくは、部屋１００には、デスク群１３１が２つ設置されている。具体的には、部屋１００には、デスク群１３１Ａ及びデスク群１３１Ｂが設置されている。これらのデスク群１３１は、インテリアゾーンとペリメータゾーンとに跨がって設置されている。空気調和エリア１０１は、デスク群によって分けられている。具体的には、空気調和エリア１０１Ａにデスク群１３１Ａが設置され、空気調和エリア１０１Ｂにデスク群１３１Ｂが設置されている。また、各利用側ユニット２の本体部１０は、吸込口１１の中心１２が平面視において空気調和エリア１０１の中心１０２と一致するように設置されている。また、本実施の形態３に係る利用側ユニット２のそれぞれは４つの吹出ユニット２０を備えている。各利用側ユニット２の吹出ユニット２０のそれぞれは、吹出口２１が平面視において空気調和エリア１０１の各辺近傍となるように配置されている。
【００９０】
また、デスク群１３１の側方には、通路１３３が設けられている。また、通路１３３の一端には、部屋１００に出入りするためのドア１３４が設置されている。なお、部屋１００では通路１３３での積極的な空気調和は不要であるため、本実施の形態３では通路１３３を空気調和エリア１０１には含めていない。
【００９１】
本実施の形態３に係る部屋１００に空気調和システム１を用いた場合でも、各利用側ユニット２を実施の形態１で示したように運転させることにより、部屋１００内の一部のエリアを従来よりも選択的に空気調和することができ、従来よりも省エネルギー化を図ることができる。例えば、デスク群１３１を使用している課が、営業等の外回りの多い課だとする。この場合、デスク群１３１には、度々、在席者がいなくなる。この際、本実施の形態３に係る各利用側ユニット２は人感センサ４を備えているので、デスク群１３１Ａに在席者がいなくなった際、利用側ユニット２Ａを実施の形態１の図７で示した様に送風運転にし、利用側ユニット２Ｂの空気調和運転を継続すればよい。空気調和エリア１０１Ｂの快適性を保ちつつ、利用側ユニット２Ａが処理する熱量を削減できる。すなわち、空気調和エリア１０１Ｂの快適性を保ちつつ、空気調和システム１の消費電力を削減することができる。
【００９２】
ところで、本実施の形態３に係る空気調和システム１においては、利用側ユニット２の各吹出ユニット２０は、吹出口２１から吹き出される空気の横方向の向きを調節する左右風向ベーン２４を備えている。このため、平面視において空気調和エリア１０１の中心１０２を挟んで向かい合う２つの吹出ユニット２０からの空気の吹出方向を以下のように調節することにより、空気調和エリア１０１をより選択的に空気調和することができる。なお、以下では、利用側ユニット２Ａを用いて、空気調和エリア１０１Ａをより選択的に空気調和することができる運転方法について説明する。また、以下では、吹出ユニット２０Ａｃを第３吹出ユニットとし、吹出ユニット２０Ａｄを第４吹出ユニットとして、空気調和エリア１０１Ａをより選択的に空気調和することができる運転方法について説明する。
【００９３】
ここで、空気調和エリア１０１Ａをより選択的に空気調和することができる運転方法を説明するに際し、第３仮想直線１１３、第４仮想直線１１４、第３方向１２３、及び第４方向１２４を次のように定義する。平面視において、吹出ユニット２０Ａｃの吹出口２１Ａｃの中心２２Ａｃと空気調和エリア１０１Ａの中心１０２Ａとを結ぶ仮想直線を、第３仮想直線１１３とする。平面視において、吹出ユニット２０Ａｄの吹出口２１Ａｄの中心２２Ａｄと空気調和エリア１０１Ａの中心１０２Ａとを結ぶ仮想直線を、第４仮想直線１１４とする。平面視において、第３仮想直線１１３と垂直な方向のうちの一方を第３方向１２３とする。平面視において、第３仮想直線１１３と垂直な方向のうちの他方を第４方向１２４とする。
【００９４】
このように定義した場合、空気調和エリア１０１Ａの第４方向１２４に、空気調和エリア１０１Ａと隣接する空気調和エリア１０１Ｂが存在することとなる。また、吹出ユニット２０Ａｃの左右風向ベーン２４Ａｃは、第３仮想直線１１３に対して第３方向１２３に傾くように吹出口２１Ａｃから空気が吹き出される傾きとなる。また、吹出ユニット２０Ａｄの左右風向ベーン２４Ａｄは、第４仮想直線１１４に対して第３方向１２３に傾くように吹出口２１Ａｄから空気が吹き出される傾きとなる。
【００９５】
吹出ユニット２０Ａｃの左右風向ベーン２４Ａｃ及び吹出ユニット２０Ａｄの左右風向ベーン２４Ａｄを上述のような傾きとすることにより、吹出ユニット２０Ａｃの吹出口２１Ａｃ及び吹出ユニット２０Ａｄの吹出口２１Ａｄからは、空気調和エリア１０１Ｂから遠ざかるように温度調節された空気が吹き出されることとなる。このため、空気調和エリア１０１Ａから空気調和エリア１０１Ｂへ冷熱又は温熱が流出することをより抑制でき、空気調和エリア１０１Ａをより選択的に空気調和することができる。
【００９６】
また、本実施の形態３に係る空気調和システム１は、各空気調和エリア１０１を換気する複数の換気装置４０を備えている。すなわち、空気調和エリア１０１のそれぞれには、換気装置４０が設置されている。各換気装置４０は、空気調和エリア１０１に連通する給気口４１及び排気口４２が形成されている。すなわち、換気装置４０は、排気口４２から空気調和エリア１０１内の空気を吸い込み、外部へ排出する。また、換気装置４０は、給気口４１から空気調和エリア１０１へ、外気を供給する。
【００９７】
具体的には、空気調和システム１は、空気調和エリア１０１Ａを換気する換気装置４０Ａと、空気調和エリア１０１Ｂを換気する換気装置４０Ｂと、を備えている。換気装置４０Ａは、空気調和エリア１０１Ａに連通する給気口４１Ａ及び排気口４２Ａが形成されている。すなわち、換気装置４０Ａは、排気口４２Ａから空気調和エリア１０１Ａ内の空気を吸い込み、外部へ排出する。また、換気装置４０Ａは、給気口４１Ａから空気調和エリア１０１Ａへ、外気を供給する。同様に、換気装置４０Ｂは、空気調和エリア１０１Ｂに連通する給気口４１Ｂ及び排気口４２Ｂが形成されている。すなわち、換気装置４０Ｂは、排気口４２Ｂから空気調和エリア１０１Ｂ内の空気を吸い込み、外部へ排出する。また、換気装置４０Ｂは、給気口４１Ｂから空気調和エリア１０１Ｂへ、外気を供給する。
【００９８】
ここで、本実施の形態３に係る空気調和システム１は、空気調和エリア１０１Ａ又は空気調和エリア１０１Ｂに人が存在しない場合、以下のように各換気装置４０を運転させている。以下のように各換気装置４０を運転させることにより、各空気調和エリア１０１の汚染物質の濃度上昇を抑制しつつ省エネルギー化が可能な換気を実現することができる。なお、以下では、空気調和エリア１０１Ｂに人が存在しない場合を例に、各換気装置４０の運転方法を説明する。この場合、換気装置４０Ａが第１換気装置となり、換気装置４０Ａの給気口４１Ａが第１給気口となり、換気装置４０Ｂが第２換気装置となり、換気装置４０Ｂの給気口４１Ｂが第２給気口となる。
【００９９】
具体的には、空気調和エリア１０１Ａに人が存在し、空気調和エリア１０１Ｂに人が存在しない場合、換気装置４０Ｂの給気口４１Ｂから空気調和エリア１０１Ｂに供給される外気の流量を、換気装置４０Ａの給気口４１Ａから空気調和エリア１０１Ａに供給される外気の流量よりも多くする。すなわち、空気調和エリア１０１Ｂの換気量に対して、空気調和エリア１０１Ａの換気量を少なくする。
【０１００】
利用側ユニット２が冷房運転を行う環境下では、外気は、空気調和エリア１０１内の空気よりも暖かい。また、利用側ユニット２が暖房運転を行う環境下では、外気は、空気調和エリア１０１内の空気よりも冷たい。このため、換気量が多いほど、利用側ユニット２の空調負荷が増大し、空気調和システム１の消費電力も増大してしまう。しかしながら、人が存在する空気調和エリア１０１Ａの換気量を上述のように少なくすることにより、利用側ユニット２Ａの空調負荷を削減でき、空気調和システム１の消費電力も削減できる。
【０１０１】
ここで、空気調和エリア１０１Ａの換気量を上述のように少なくすることにより、空気調和エリア１０１Ａの汚染物質の濃度上昇を懸念されるかもしれない。しかしながら、隣接する空気調和エリア１０１Ｂに供給された外気が空気調和エリア１０１Ａに流れ込むため、空気調和エリア１０１Ａと空気調和エリア１０１Ｂとの間で汚染物質の分布の極端な偏りは発生しない。このため、空気調和エリア１０１Ａの汚染物質の濃度上昇を抑制することもできる。
【０１０２】
なお、本実施の形態３では、換気装置４０Ａの給気口４１Ａは、平面視において、空気調和エリア１０１Ａの中心１０２Ａよりも空気調和エリア１０１Ｂから離れた位置で、空気調和エリア１０１Ａと連通している。このように換気装置４０Ａの給気口４１Ａを配置することにより、換気装置４０Ａの給気口４１Ａから空気調和エリア１０１Ａに供給された外気は、空気調和エリア１０１Ａ内の空気と十分に熱交換した後、空気調和エリア１０１Ｂに流入することとなる。このため、空気調和エリア１０１Ｂに設置された利用側ユニット２Ｂの空調負荷が増大することを抑制できる。同様に、換気装置４０Ｂの給気口４１Ｂは、平面視において、空気調和エリア１０１Ｂの中心１０２Ｂよりも空気調和エリア１０１Ａから離れた位置で、空気調和エリア１０１Ｂと連通している。このように換気装置４０Ｂの給気口４１Ｂを配置することにより、換気装置４０Ｂの給気口４１Ｂから空気調和エリア１０１Ｂに供給された外気は、空気調和エリア１０１Ｂ内の空気と十分に熱交換した後、空気調和エリア１０１Ａに流入することとなる。このため、空気調和エリア１０１Ａに設置された利用側ユニット２Ａの空調負荷が増大することを抑制できる。
【符号の説明】
【０１０３】
１  空気調和システム、２  利用側ユニット、３（３Ａ）  給電線、４  人感センサ、５（５Ａ）  温度センサ、６（６Ａ）  電気ボックス、１０  本体部、１１  吸込口、１２  中心、１３（１３Ａ）  熱交換器、１４（１４Ａ）  送風機、２０  吹出ユニット、２１  吹出口、２２  中心、２３  上下風向ベーン、２４  左右風向ベーン、３０  ダクト、４０  換気装置、４１  給気口、４２  排気口、５０  制御装置、５０Ａ  制御装置、５０Ｂ  制御装置、５１  入力部、５２  演算部、５３  制御部、５４  記憶部、１００  部屋、１０１  空気調和エリア、１０２  中心、１０３  鉛直線、１０４（１０４Ａ）  天井裏、１０５  床面、１０６  側壁、１１１  第１仮想直線、１１２  第２仮想直線、１１３  第３仮想直線、１１４  第４仮想直線、１２１  第１方向、１２２  第２方向、１２３  第３方向、１２４  第４方向、１３１  デスク群、１３２  デスク、１３３  通路、１３４  ドア、２０１  空気調和システム（従来）、２０２  利用側ユニット（従来）、２１０  筐体（従来）、２１１  吸込口（従来）、２２１  吹出口（従来）。
【図１】
2019171461.tif 000003
【図２】
2019171461.tif 000004
【図３】
2019171461.tif 000005
【図４】
2019171461.tif 000006
【図５】
2019171461.tif 000007
【図６】
2019171461.tif 000008
【図７】
2019171461.tif 000009
【図８】
2019171461.tif 000010
【図９】
2019171461.tif 000011
【図１０】
2019171461.tif 000012
【手続補正書】
【提出日】令和2年6月24日(2020.6.24)
【手続補正１】
【補正対象書類名】明細書
【補正対象項目名】０００７
【補正方法】変更
【補正の内容】
【０００７】
本発明に係る空気調和システムは、内部が平面視において四角形状の複数の空気調和エリアに区画される部屋を空気調和する空気調和システムであって、前記空気調和エリアの１つの天井裏に設置され、該空気調和エリアを空気調和する空気調和運転を行う利用側ユニットを備え、前記利用側ユニットが設置される前記空気調和エリアを設置エリアとした場合、前記利用側ユニットは、前記設置エリアの前記天井裏に設置され、下面部に形成された吸込口から吸い込んだ前記設置エリアの空気を冷却又は加熱する本体部と、前記本体部とダクトで接続されて前記設置エリアの前記天井裏に設置され、前記本体部から供給された空気を、下面部に形成され、平面視において前記設置エリア内の外周側に形成されている吹出口から吹き出す吹出ユニットと、を備え、前記吹出ユニットは、前記吹出口から吹き出される空気の上下方向の向きを調節する上下風向ベーンを備え、前記上下風向ベーンは、鉛直線に対して傾きを有し、前記設置エリアの中心に向かって空気を案内する。
【手続補正２】
【補正対象書類名】特許請求の範囲
【補正対象項目名】全文
【補正方法】変更
【補正の内容】
【特許請求の範囲】
【請求項１】
内部が平面視において四角形状の複数の空気調和エリアに区画される部屋を空気調和する空気調和システムであって、
前記空気調和エリアの１つの天井裏に設置され、該空気調和エリアを空気調和する空気調和運転を行う利用側ユニットを備え、
前記利用側ユニットが設置される前記空気調和エリアを設置エリアとした場合、
前記利用側ユニットは、
前記設置エリアの前記天井裏に設置され、下面部に形成された吸込口から吸い込んだ前記設置エリアの空気を冷却又は加熱する本体部と、
前記本体部とダクトで接続されて前記設置エリアの前記天井裏に設置され、前記本体部から供給された空気を、下面部に形成され、平面視において前記設置エリア内の外周側に形成されている吹出口から吹き出す吹出ユニットと、
を備え、
前記吹出ユニットは、前記吹出口から吹き出される空気の上下方向の向きを調節する上下風向ベーンを備え、
前記上下風向ベーンは、鉛直線に対して傾きを有し、前記設置エリアの中心に向かって空気を案内する空気調和システム。
【請求項２】
平面視において、前記吹出ユニットは、前記吸込口の中心と前記吹出口の中心との間の距離が３．６ｍ以内となる位置に設置される請求項１に記載の空気調和システム。
【請求項３】
前記上下風向ベーンは、前記利用側ユニットの運転中に電力によって傾きを変更できる可動式であり、
前記利用側ユニットは、前記上下風向ベーンに電力を供給する給電線を備え、
前記給電線の少なくとも一部分は、前記ダクトに接触させて配置される請求項１又は請求項２に記載の空気調和システム。
【請求項４】
前記上下風向ベーンは、前記利用側ユニットの運転中に電力によって傾きを変更できる可動式であり、
前記利用側ユニットは、前記空気調和運転として冷房運転及び暖房運転を行える構成となっており、
前記冷房運転時の前記上下風向ベーンの前記鉛直線に対する傾きは、前記暖房運転時の前記上下風向ベーンの前記鉛直線に対する傾きよりも大きい請求項１〜請求項３のいずれか一項に記載の空気調和システム。
【請求項５】
前記利用側ユニットは、前記空気調和運転として冷房運転を行える構成となっており、
側面視において、
前記冷房運転時に前記吹出口から吹き出される空気は、前記設置エリアの床面に到達する前に前記設置エリアの中心を通る鉛直線に到達する請求項１〜請求項４のいずれか一項に記載の空気調和システム。
【請求項６】
前記利用側ユニットは、前記空気調和運転として暖房運転を行える構成となっており、
側面視において、
前記暖房運転時に前記吹出口から吹き出される空気は、前記設置エリアの中心を通る鉛直線に到達する前に前記設置エリアの床面に到達する請求項１〜請求項５のいずれか一項に記載の空気調和システム。
【請求項７】
前記設置エリアに人が存在するか否かを検出する人感センサを備え、
前記利用側ユニットは、前記吸込口から吸い込んだ前記設置エリアの空気を前記吹出ユニットに送る送風機を備え、
前記設置エリアに人が存在しない場合、前記利用側ユニットは、送風運転を行い、
前記利用側ユニットが前記送風運転を行うときの前記送風機の回転数は、前記利用側ユニットが前記空気調和運転を行うときの前記送風機の回転数よりも低くなる請求項１〜請求項６のいずれか一項に記載の空気調和システム。
【請求項８】
前記利用側ユニットは、前記吹出ユニットを２つ備え、
２つの前記吹出ユニットのそれぞれは、前記吹出口から吹き出される空気の横方向の向きを調節する左右風向ベーンを備え、
２つの前記吹出ユニットのうちの一方を第１吹出ユニットとし、２つの前記吹出ユニットのうちの他方を第２吹出ユニットとした場合、
前記第１吹出ユニット及び前記第２吹出ユニットは、平面視において、前記設置エリアの中心を挟んで向かい合って配置されており、
平面視において、
前記第１吹出ユニットの前記吹出口の中心と前記設置エリアの中心とを結ぶ仮想直線を第１仮想直線、
前記第２吹出ユニットの前記吹出口の中心と前記設置エリアの中心とを結ぶ仮想直線を第２仮想直線、
前記第１仮想直線と垂直な方向のうちの一方を第１方向、
前記第１仮想直線と垂直な方向のうちの他方を第２方向と定義した場合、
前記第１吹出ユニットの前記左右風向ベーンは、前記第１仮想直線に対して前記第１方向に傾くように前記吹出口から空気が吹き出される傾きとなり、
前記第２吹出ユニットの前記左右風向ベーンは、前記第２仮想直線に対して前記第２方向に傾くように前記吹出口から空気が吹き出される傾きとなる請求項１〜請求項７のいずれか一項に記載の空気調和システム。
【請求項９】
前記利用側ユニットは、前記吹出ユニットを複数備え、
平面視において、前記設置エリアの少なくとも一辺は、前記部屋の側壁と対向しており、
複数の前記吹出ユニットは、平面視において、前記部屋の壁と対向していない辺のみに沿って設けられる請求項１〜請求項８のいずれか一項に記載の空気調和システム。
【請求項１０】
前記利用側ユニットは、前記吹出ユニットを２つ備え、
２つの前記吹出ユニットのそれぞれは、前記吹出口から吹き出される空気の横方向の向きを調節する左右風向ベーンを備え、
２つの前記吹出ユニットのうちの一方を第３吹出ユニットとし、２つの前記吹出ユニットのうちの他方を第４吹出ユニットとした場合、
前記第３吹出ユニット及び前記第４吹出ユニットは、平面視において、前記設置エリアの中心を挟んで向かい合って配置されており、
平面視において、
前記第３吹出ユニットの前記吹出口の中心と前記設置エリアの中心とを結ぶ仮想直線を第３仮想直線、
前記第４吹出ユニットの前記吹出口の中心と前記設置エリアの中心とを結ぶ仮想直線を第４仮想直線、
前記第３仮想直線と垂直な方向のうちの一方を第３方向、
前記第３仮想直線と垂直な方向のうちの他方を第４方向と定義した場合、
平面視において、前記設置エリアの前記第４方向に、前記設置エリアと隣接する前記空気調和エリアが存在し、
前記第３吹出ユニットの前記左右風向ベーンは、前記第３仮想直線に対して前記第３方向に傾くように前記吹出口から空気が吹き出される傾きとなり、
前記第４吹出ユニットの前記左右風向ベーンは、前記第４仮想直線に対して前記第３方向に傾くように前記吹出口から空気が吹き出される傾きとなる請求項１〜請求項９のいずれか一項に記載の空気調和システム。
【請求項１１】
前記利用側ユニットを２つ備え、
２つの前記利用側ユニットのうちの一方を第１利用側ユニットとし、
２つの前記利用側ユニットのうちの他方を第２利用側ユニットとし、
前記第１利用側ユニットが設置される前記空気調和エリアを第１設置エリアとし、
前記第２利用側ユニットが設置される前記空気調和エリアを第２設置エリアとした場合、
前記第１設置エリアと前記第２設置エリアとが隣接している請求項１〜請求項１０のいずれか一項に記載の空気調和システム。
【請求項１２】
前記第１利用側ユニットの設定温度と前記第２利用側ユニットの設定温度とは、２℃以上異なる請求項１１に記載の空気調和システム。
【請求項１３】
前記第１設置エリアと連通する第１給気口が形成された第１換気装置と、
前記第２設置エリアと連通する第２給気口が形成された第２換気装置と、
を備え、
前記第１利用側ユニット及び前記第２利用側ユニットのそれぞれは、人が存在するか否かを検出する人感センサを備え、
前記第１設置エリアに人が存在し、前記第２設置エリアに人が存在しない場合、前記第２給気口から前記第２設置エリアに供給される外気の流量は、前記第１給気口から前記第１設置エリアに供給される外気の流量よりも多い請求項１１又は請求項１２に記載の空気調和システム。
【請求項１４】
前記第１給気口は、平面視において前記第１設置エリアの中心よりも前記第２設置エリアから離れた位置で、前記第１設置エリアと連通し、
前記第２給気口は、平面視において前記第２設置エリアの中心よりも前記第１設置エリアから離れた位置で、前記第２設置エリアと連通する請求項１３に記載の空気調和システム。
【国際調査報告】
2019171461.tif 000013
2019171461.tif 000014